(57)【要約】【目的】  家庭及び事務所等で立設している額縁及び写真盾の内部正面に写真を映す液晶パネル（映像表示装置）を設け、デジタルカメラでの写真及び携帯電話で撮った記憶された写真を送信して写真を自由に見ることができ、外に、ネット上に掲載されている壁紙（ネット用語で花鳥風月等の写真の事）等をモバイルパネル用額縁及び写真盾に映像表示することに関するものである。【構成】  額縁及び写真盾は、各種形状に構成され、その外周には、縁枠を形成し、該縁枠には、内部に写真を映す液晶パネルとワイヤレス機能を装着する。また、該縁枠の外周の所定位置にＩＣメモリーチップと、カード差込機能及び携帯電話機能とを装設する。更に、該縁枠には、家庭用電源とパソコン電源の装置を装着した事を特徴としている。【選択図】図１
2009217223.tif 000002
【特許請求の範囲】
【請求項１】
額縁及び写真盾（１）は、縦方向及び横方向に方形状に形成され、該額縁及び写真盾（１）には、外周に縁枠（２）を有し、該縁枠（２）には、内部に写真を移動して写す映像表示機能である液晶パネル（内部に携帯電話機能付）（３）とワイヤレス機能（ブルーツース機能＝短距離無線機能）を装着し、且つ該縁枠（２）には、外周の所定位置にＩＣメモリーチップ又は、データー記録カード差込機能（４）を装設して携帯電話で写した写真及びデジタルカメラで等で写した写真を表示すると共に、家庭用電源及びパソコン電源を装着した事を特徴とするモバイルパネル用額縁及び写真盾。
【請求項２】
写真を写す映像表示装置機能である液晶パネルの裏側に携帯電話機能を取付けて、ネットを利用して著名な壁紙（ネット用語で花鳥風月等の写真の事）等を額縁及び写真盾に映像を写す事を特徴とするモバイルパネル用額縁及び写真盾。
【発明の詳細な説明】
【技術分野】
【０００１】  本発明は、家庭用で使用している額縁及び写真盾にデジタルカメラ写真又は携帯電話で撮って記憶された写真を当該モバイル用額縁及び写真盾に該映像を表示することに関するものである。
又、別にネット上に掲載されている著名な壁紙（ネット用語で花鳥風月等の写真の事）等を額縁及び写真盾にネットを使用して映像を写す事に関するものである。
【背景技術】
【０００２】  一般に使用されている額縁及び写真盾は、人物、風景等を各々一枚づつ額縁及び写真盾内に収め、必要に応じて取り出して写真を差し換えて飾る事が、普通に実施されている現状である。
【発明の開示】
【発明が解決しようとする課題】
【０００３】    従来の家庭又は事務所等で使用されている額縁及び写真等においては、一枚一枚写真、ポスター等を常時入れ替える方法が一般的に実施されている現状である。この場合、入れ替え作業が大変に面倒で手間が掛かるものである。また、額縁及び写真盾には、一枚の写真のみしか飾ることが出来ないために多数の額縁及び写真盾が必要となる等の不便さがある。
本発明は、従来のこれ等の額縁及び写真盾を改良したものであって、その主たる目的とする所は、デジタルカメラ及び携帯電話で記憶させた写真をＩＣメモリーチップにより該写真盾等に写す、ブルーツース機能を使用して該写真等を写す、又は、ネット配信機能を利用して送信して写真をボタン操作によって順次変更して、液晶パネルでみられるようにしたモバイルパネル用額縁及び写真盾を提供することを目的としている。
【課題を解決するための手段】
【０００４】    上記目的を達成するために、本発明においては、額縁及び写真盾の中央内部に写真を移動して写す液晶パネル（映像表示装置）とワイヤレス機能（ブルーツース機能＝短距離無線機能）および携帯電話機能  とを内装する。該額縁及び写真盾の外周の縁枠には、所定位置にＩＣメモリーチップ（記憶装置）とデーター記録カード差込機能及び形態電話機能とを装設すると共に、家庭用電源及びパソコン電源を装設する事である。
【発明の効果】
【０００５】  本発明のモバイルパネル用額縁及び写真盾によれば、従来の高価な器具類を使用することなく、デジタルカメラ及び携帯電話によって写真を撮って記憶されたＩＣメモリーチップを装着することによって、常時簡単に再度希望の写真を液晶パネル（映像表示装置）に再現して見られる便利な効果と、額縁及び写真盾には、外周の縁枠を利用して容易にＩＣメモリーチップ及びカード差込機能及び携帯電話機能が装着できると共に、内部の写真を写す液晶パネル（映像表示装置）は、大小各々の大きさのパネルを自由に選定できる便利な効果もある。
また、デジタルカメラ及び携帯電話の両者で写した記憶された写真を、液晶パネル（映像表示装置）のＩＣメモリーチップに無線にて送信し、携帯電話（ブルーツース機能＝短距離無線機能）からの指示によって、写真を自由に変更できる効果もある。
又、ネット上に掲載された壁紙（ネット用語で花鳥風月等の写真の事）等をネット配信して様々な写真等の映像を瞬時にボタン一つで、変更可能にして写真を掲載する効果がある。
【発明を実施するための最良の形態】
【０００６】  本発明の最良の用法を説明すると、中央部分に液晶パネルを有する額縁及び写真盾には、予めワイヤレス機能（ブルーツース機能＝短距離無線機能）及びＩＣメモリーチップ又は、データー記録カード差込機能を装着したものに、デジタルカメラ及び携帯電話で撮った写真を記憶させたものを、液晶パネルのモバイル用額縁及び写真盾に送信して液晶パネルの表面に順次写真を変更して写し出すようにしたものである。
又、ネット上に掲載された壁紙（ネット用語で花鳥風月等の写真の事）等をネットの利用にて携帯電話機能を経由して該額縁及び写真盾に写しだすようにしたものである。
【実施例】
【０００７】  次に、本発明の実施例を図面について説明すると、図１は、額縁及び写真盾（１）の正面図及び側面図を示すもので、額縁及び写真盾（１）は、縦方向及び横方向の方形状、又は円形等の各種の形状より構成されている。該額縁及び写真盾（１）には、外周に縁枠となる縁枠（２）を形成する。該縁枠（２）には、内部に写真の映像を移動して映す液晶パネル（携帯電話機能付）（３）と、ワイヤレス機能（ブルーツース機能＝短距離無線機能）を装着してある。また、該縁枠（２）には、外周の所定位置にＩＣメモリーチップ（４）及び写真変更機能を設けると共に、カード差込機能及び携帯電話機能を装設してある。更に、該縁枠（２）には、家庭用電源及びパソコン電源装置を装着したものである。【０００８】    次に、本発明における額縁及び写真盾（１）に送信する方法の実施例としては、先ず、デジタルカメラの場合を説明すると、記憶した写真を、コードを接続して液晶パネル（３）に写真を映す。デジタルカメラには、相当数の写真が記憶されているので、必要な写真を再現したり、その日、その時の気分等に応じて自由に写真をボタンの押圧によって変更することが出来るものである。
次に、携帯電話の場合を説明すると、携帯電話に記憶された写真を、液晶パネルのＩＣメモリーチップに無線（ブルーツース機能＝短距離無線機能）にて送信して、その写真を携帯電話から指示して、必要に応じた写真を自由自在に変更して見る事が出来るようにしたものである。
又、携帯電話機能によりネット上に掲載された壁紙（ネット用語で花鳥風月等の写真の事）等をネットの利用により該額縁及び写真盾に写すようにしたものである。【０００９】  なお、操作について述べると、デジタルカメラの画像は、デジタルカメラの操作をするので、操作の時は、デジタルカメラが必要であるが、携帯電話の場合は、携帯電話を常時所持しているので、操作の面倒が無く、デジタルカメラよりも携帯電話の記憶容量及び画像操作機能が格段に優れているものである。
【図面の簡単な説明】
【００１０】
【図１】  本発明のモバイルパネル用額縁及び写真盾を示す正面図である。
【符号の説明】
【００１１】１  額縁及び写真盾
２  縁枠
３  液晶パネル（内部に携帯電話機能付）
４  ＩＣメモリーチップ又はデーター記録カード差込機能
５  携帯電話
【図１】
2009217223.tif 000003